(57)【特許請求の範囲】
【請求項１】
湯側と水側の各給水管を接続して湯水の混合や湯水の出し止めをするカートリッジを水栓外観本体内に設けてなる水栓において、湯側と水側の各給水管は、端部から少し離れたところにつばが形成されており、このつばがカートリッジ下端部に位置するようにカートリッジ下端部に設けた接続部に各給水管を差込んで接続し、さらに、外観本体内にリブを設けておき、カートリッジを水栓外観本体の上部から挿入したときに、前記リブとカートリッジの下端部とで前記つばを挟み込み、そして、カートリッジの上端側からカートリッジ押えを外観本体に固定して、各給水管をカートリッジに固定することを特徴とする水栓。
【請求項２】
前記つばは、別体で形成された固定プレートにてカートリッジ下端部に押え付け、さらに、カートリッジを水栓外観本体の上部から挿入したときに、前記リブとカートリッジの下端部とで固定プレートとつばを挟み込むことで各給水管をカートリッジに固定することを特徴とする請求項１に記載の水栓。
【請求項３】
前記カートリッジの下端部には、前記各給水管からの湯と水を混合させた混合水を通水するための混合水導水管を接続しており、かつ、この混合水導水管にホースを接続して、このホースを接続した吐水口先端を水栓本体から引出し自在に形成するとともに、前記カートリッジ下部の少なくともホースの配置側を凹形状にしたことを特徴とする請求項１または請求項２に記載の水栓。
【請求項４】
前記混合水導水管は、可撓性を有する弾性体で形成したことを特徴とする請求項３に記載の水栓。
【請求項５】
水栓外観本体内には、水栓固定用の軸を配置しており、さらに、前記の湯側と水側の各給水管を非対称に配置したことを特徴とする請求項１乃至請求項４のいずれか一項に記載の水栓。
【請求項６】
前記水栓固定用の軸は、外観本体に接合しかつ内部が貫通しており、その内部に排水栓の塞ぎ蓋の引上げおよび押し下げする引き棒が貫通されていることを特徴とした請求項５に記載の水栓。
【発明の詳細な説明】
【０００１】
【発明の属する技術分野】
本発明は、水栓の配管取廻し構造に関する。特に、ホースを接続した吐水口先端を引出して自由に使用できる水栓の配管取廻し構造に関する。
【０００２】
【従来の技術】
従来のホースを接続した吐水口先端を引出して使用できる水栓は、図９に示すように、湯側と水側の各給水管をカートリッジから抜けないよう固定用プレートをカートリッジにビス止めしている。更に、ホースをスムーズに通す為に、ホース可動領域を確保する必要があり、水栓本体高さを高くする必要があった。
このような水栓は、主に、キッチンに設けられ使用されている。
図１０には、カウンターの水栓取付穴における配管の取廻しの断面図を示している。
これはキッチン用水栓であるが、まず排水栓の塞ぎ蓋開閉の為のポップアップ引き棒が不要であるので水栓内部に１本の機構部材が不要であるので取り付け穴部の取合いにも余裕がある。また台所シンクの大きさから、必要以上にコンパクトにする必要もない。したがって、湯側と水側の各給水管の固定部材の固定も固定用ビスを用いても何ら問題にはならなかった。
【０００３】
【発明が解決しようとする課題】
一方、このようにホースを接続した吐水口先端を水栓本体から引出して使用できる水栓を洗面所にも採用する場合、キッチンに設ける水栓のように、水栓自体の高さは必要以上に高くすることができない。その理由は、洗面所における行為として洗顔、うがい等があるが、この動作時洗面器に顔を近づける為に、水栓が大きいと前記の行為の際に妨げになるばかりか圧迫感を感じ前記のような行為をする事が出来ない場合も出てくる。
【０００４】
また、上述したようにキッチンに前記水栓を設ける場合とは異なり、洗面所で使用する場合、洗顔等の行為をするときに洗面ボールに湯水を溜めるため、排水口部の塞ぎ蓋の開閉をするために、ポップアップの引き棒を設ける必要がある。
従来においては、この引き棒は水栓本体にセットせず、直接カウンターに設置していた。
しかしながら、水栓本体にポップアップの引き棒を設けることで、カウンター上面がすっきりとなるため見栄えがよく、また清掃性も向上する。更にカウンターの穴あけ加工も軽減できる等の施工面での大きなメリットがある。
【０００５】
一方、ホースを接続した吐水口先端を水栓本体から引出して使用できる水栓自体にこのポップアップの引き棒を設けると、湯側と水側の各給水管、混合水導水管、ホース、ポップアップ引き棒の５本を水栓取付穴に通す必要がある。
【０００６】
洗面器、洗面カウンターならびにシンクなどの水栓取付穴は、一般的にφ３５±２ｍｍやφ３８±２ｍｍである。その制約条件の中で▲１▼水側の給水管▲２▼湯側の給水管▲３▼混合水導水管▲４▼ホース▲５▼固定用軸▲６▼ポップアップ用引き棒の６つの管もしくはホース等を設置する必要がある。
そこで、従来と同様の水栓の外観や水栓取付穴を用いるようにする場合、各管径またはホース径（ｍｍ）を小さくすることで可能となるが、これでは使用時の水の勢いが弱くなり使用者に満足いく水栓を提供できない。
実際には給水管外径φ９．５ｍｍ以上、混合水導水管外径φ１０ｍｍ以上、ホース外径φ１４ｍｍ以上、固定軸外径φ１２ｍｍ以上の条件で設計する必要がある。
また、水栓の外観や水栓取付穴を大きくすると、通常の洗面器には取付かなくなってしまい、特別に前記水栓が取付けることが可能な洗面器を製造しなければならなくなり、コストアップにつながってしまう。
また、従来からある水栓取付穴に取付けられるということは、使用者にとって自分の好みの洗面器や洗面カウンターやシンクを選択することができるというメリットがあるのである。
【０００７】
そのため、本発明者は、この従来からある水栓取付穴の径を変えることなく、ホースを接続した吐水口先端を水栓本体からスムーズに引出して使用できるようにする水栓の配管取廻し構造を鋭意研究開発した。
また、このときに給水管等の径を小さくすることなく、十分な給水量を吐水口から確保することも考慮した。
さらに、特に洗面所における使い勝手を考慮して、水栓本体の高さをできるだけ抑え、洗顔等のときに邪魔にならないことも考慮に入れた。
【０００８】
そこで、本発明では上記の問題点を解決するため、コンパクトな外観でありながらホースのスムーズな引出し性を有し、十分な吐水量を確保できる水栓の配管取廻し構造を提供するものである。
【０００９】
【課題を解決するための手段】
本発明の請求項１においては、湯側と水側の各給水管を接続して湯水の混合や湯水の出し止めをするカートリッジを水栓外観本体内に設けてなる水栓において、湯側と水側の各給水管は、端部から少し離れたところにつばが形成されており、このつばがカートリッジ下端部に位置するようにカートリッジ下端部に設けた接続部に各給水管を差込んで接続し、さらに、外観本体内にリブを設けておき、カートリッジを水栓外観本体の上部から挿入したときに、前記リブとカートリッジの下端部とで前記つばを挟み込み、そして、カートリッジの上端側からカートリッジ押えを外観本体に固定して、各給水管をカートリッジに固定することを特徴とする水栓としたことである。
【００１０】
これにより、従来のビス固定ではないため、その分水栓の高さ方向の寸法を抑えることができる。つまり、カートリッジ下端部の形状を、各給水管の差し込みのみの寸法だけとすることができ、水栓の高さ方向の寸法を小さくすることが可能となった。
そして、特に、ホースを接続した吐水口先端を水栓本体から引出し自在に形成されている水栓の場合には、水栓の高さを低く抑えつつ、このホースのスムーズな出し入れを可能とすることができる。
【００１１】
本発明の請求項２においては、前記つばは、別体で形成された固定プレートにてカートリッジ下端部に押え付け、さらに、カートリッジを水栓外観本体の上部から挿入したときに、前記リブとカートリッジの下端部とで固定プレートとつばを挟み込むことで各給水管をカートリッジに固定することを特徴とする請求項１に記載の水栓としたことである。
【００１２】
このように固定プレートを介在させることにより、給水管に設けたつばをリブでカートリッジ下端部に確実に押え付けることが出きるので、給水管がカートリッジから抜けるおそれがない。
【００１３】
本発明の請求項３においては、前記カートリッジの下端部には、前記各給水管からの湯と水を混合させた混合水を通水するための混合水導水管を接続しており、かつ、この混合水導水管にホースを接続して、このホースを接続した吐水口先端を水栓本体から引出し自在に形成するとともに、前記カートリッジ下部の少なくともホースの配置側を凹形状にしたことを特徴とする請求項１または２に記載の水栓としたことである。
【００１４】
これにより、凹形状のくぼみによってホースの可動領域を十分に確保することが可能となり、限られたスペースを有効に活用することで、ホースのスムーズな出し入れを可能とした。
【００１５】
本発明の請求項４においては、前記混合水導水管は、可撓性を有する弾性体で形成したことを特徴とする請求項３に記載の水栓としたことである。
【００１６】
これにより、混合水導水管を限られたスペース内の各給水管の間に撓ませて自由に設置することが可能となり、限られたスペースにホースのスムーズな出し入れ自在とする空間を確保することが可能となる。
【００１７】
本発明の請求項５においては、水栓外観本体内には、水栓固定用の軸を配置しており、さらに、前記の湯側と水側の各給水管を非対称に配置したことを特徴とする水栓としたことである。
【００１８】
これにより、水栓固定用の軸、湯側と水側の各給水管、混合水導水管およびホースを水栓本体内のスペースや水栓取付穴のスペースの限られたスペース内に効率的に配置することができ、ホースのスムーズな出し入れを可能とした。
【００２５】
本発明の請求項６においては、前記水栓固定用の軸は、外観本体に接合しかつ内部が貫通しており、その内部に排水栓の塞ぎ蓋の引上げおよび押し下げする引き棒が貫通されていることを特徴とした請求項５に記載の水栓としたことである。
【００２６】
これにより、水栓固定用の軸、湯側と水側の各給水管、混合水導水管、ホースおよび引き棒を水栓本体内のスペースや水栓取付穴のスペースの限られたスペース内に効率的に配置することができ、限られたスペースにホースのスムーズな出し入れ自在とする空間を確保することが可能となる。
【００２９】
【発明の実施の形態】
以下に図面を参照して本発明をより具体的に説明する。
洗面化粧台２に本発明の水栓１が取り付いた例を、図１に斜視図として示す。
洗面所での動作としては、洗顔動作やうがい動作があるが、この動作の際に、洗面ボールのボール面に対し前かがみになる。この時、水栓１が必要以上に大きいと、前記の行為の際に妨げになるばかりか圧迫感を感じ前記のような行為をする事が出来ない場合も出てくる。
したがって、水栓１本体を出来るだけコンパクトにする必要性がある。
【００３０】
また、排水栓の塞ぎ蓋（図示せず）の開閉の為のポップアップ式の引き棒２１を、水栓１本体内に設置する事で、カウンター１５上面がすっきりとなり見栄えよく又、清掃性も向上し、更にカウンター１５の引き棒用の穴あけ加工も軽減できるという大きなメリットがある。
【００３１】
本発明の水栓１における一実施の形態を図２により説明する。
レバーハンドル１１を上下又は左右に動かし、湯水の出し止めや温度の調節を行う。
図３には、吐水口先端４を引張り出した様子を示す。
このように吐水口先端４を引出すことにより、花瓶、バケツなどの水ためや、洗面ボールの清掃など多目的に使用することが容易になる。
【００３２】
図４に本発明を備えた水栓１の左側面断面図および正面図を示す。
湯水の経路は、水側および湯側の給水管６、７を経由してカートリッジ１２に至り、カートリッジ１２内で湯と水とを混合した混合水は、混合水導水管８を経由しホース５を通り、吐水口先端４から吐水される。
なお、ここで言うカートリッジ１２とは、
１）各給水管６、７と混合水導水管８をそれぞれ接続する接続部、
２）各給水管６、７からの給水・止水を行う開閉手段（たとえば、主に複数枚の通水孔を有するセラミックディスクと、レバーハンドル１１に連結されこのセラミックディスクを動かして重なり合う通水孔の穴の大きさを操作する連結部とにより構成されている）、
３）湯と水とを混合し混合水とする混合部（たとえば、上述したセラミックディスクの湯側と水側の通水孔の大きさ（重なり合う穴の大きさ）をレバーハンドル１１にて調整することで、湯量・水量を調整し、これにより流れてきた湯水を混合させるための空間により構成されている）
とから主に構成されている。
【００３３】
図５に洗面カウンター１５に設置する要領を示す。
カウンター１５の水栓取付穴１６に水栓１本体を挿入しカウンター１５内部から、固定部材１０を水栓固定用の軸１４にセットし固定用ナット９にてネジ固定する。最後に図２に示すように各給水管６、７をそれぞれ止水栓２２に接続して完了となる。
なお、カウンター１５への設置構造はこれに限定されるものではなく、他の設置構造でもよい。
【００３４】
図６に本発明の内部構造を断面斜視図にて示す。
前記した各給水管６，７、混合水導水管８、水栓固定用の軸１４、塞ぎ蓋用のポップアップ式の引き棒２１、ホース５は図示するように最小φ３３ｍｍの穴径に収まり、またホース５がスムーズに引き出される必要がある。
今回は必要最低限である、各給水管６、７の直径φ９．５ｍｍ、湯水導水管８の直径φ１０ｍｍ、ホース５の直径φ１４ｍｍ以上を確保し、かつ、スムーズなホース５の出し入れを可能としている。
【００３５】
図７に取付穴部の概略断面を示す。
この図は、カウンター１５の水栓取付穴１６に対して、各管６、７、８ならびにホース５等の設置状態を示す。
一般的に、水栓取付穴１６（洗面陶器やシンクの穴など）は、φ３５±２ｍｍやφ３８±２ｍｍであるが、今回最小のφ３３ｍｍにての各ホース５等の設置状態を示す。
図のように各管６、７、８ならびにホース５の径等を確保して、水栓取付穴１６の径内に収めることが可能である。
つまり、水栓固定用の軸１４は、水栓外観本体３に接合しかつ内部が貫通しており、その内部に排水栓の塞ぎ蓋の引上げおよび押し下げする引き棒２１が貫通されている。また、湯側と水側の給水管７を対称的に配置せずに非対称として配置している。
【００３６】
又、図６にあるように混合水導水管８が通過する領域においては、外観本体３内の水栓固定用の軸１４の固定部に肉厚が必要であるので、剛体ではこの肉厚部が邪魔になり図７に示す部分に混合水導水管８を、うまく配することは不可能である。本発明ではこの導水管８を可撓性を有する弾性体にて形成することで効率よくスペースを使い前記の管６、７、８又はホース５の外径を確保する事を可能とした。
【００３７】
なお、図中の水側の給水管７と混合水導水管８の設置位置を交換して湯側と水側の各給水管６、７を対称的に配置することも可能である。ただし、この場合、水側の給水管７と混合水導水管８がカートリッジ下端部１２ａから水栓取付穴１６までの間で交差してスペースを余計に取ってしまうため、カートリッジ下端部１２ａに設けた各接続部の配置ならびにそれに伴う内部通水路経路を変えて対処することが好ましい。
【００３８】
図８には、図７に示した本発明の要部各部位の分解斜視図を示す。
湯側と水側の各給水管６、７をカートリッジ１２に固定するため、各給水管６、７にはつば１８が形成されており、このつば１８を固定プレート１７にてカートリッジ下端部１２ａに押え付ける構造としている。
なお、各給水管６、７はカートリッジ下端部１２ａに設けた接続部に差込んで接続する。
そして、このカートリッジ１２を水栓外観本体３の上部から挿入して、固定プレート１７を固定する構造としては、外観本体３内にリブ１９を設けておき、このリブ１９とカートリッジ１２の下端部１２ａとで固定プレート１７とつば１８とを挟み込む構造とする。そして、カートリッジ１２が動かないように、カートリッジ１２の上端側からカートリッジ押え２０を外観本体３にねじ固定することでカートリッジ１２に各給水管６、７を完全固定する。
なお、つば１８のみをカートリッジ１２の下端部１２ａとリブ１９とで挟み込んでもよいが、固定プレート１７を介在させることで、より確実にカートリッジ１２に各給水管６、７を接続させて抜けないようにすることができる。
【００３９】
このように、ビス固定ではないためカートリッジ下端部１２ａの形状を、各給水管６，７の差し込みのみの寸法だけとすることにより水栓１の高さ方向の寸法を小さくすることが可能となった。
又、カートリッジ１２下部を（Ｂ）のように凹形状１３にすることで、ホース５の通るスペースを確保できホース５のスムーズな出し入れを可能とした。
なお、図８では、各給水管６、７の取付構造の詳細を分かりやすくするため、導水管８、固定用ナット９、引き棒２１の図示を省略している。
【００４０】
なお、本発明は、洗面化粧台２に設けかつ水栓１の高さを抑えてコンパクトな水栓１を開発することに起因しているが、洗面化粧台２以外のものへの適用も可能であり、さらには、水栓１の高さをコンパクトにしないタイプのものへの適用、さらには水栓取付穴１６の径が上述した一般的な径よりも大きな場合においても適用は可能である。
【００４１】
【発明の効果】
上記本発明により、一般的に用いられている水栓取付穴１６の径を変えることなく、コンパクトな外観でありながらホース５のスムーズな引出し性を有し、充分な吐水量を確保できる水栓１を提供することができる。
本発明の水栓１の取廻し構造は、特にホップアップ式の排水栓を有する洗面化粧台２の水栓１に適用するとより大きな効果が奏すると言える。
【図面の簡単な説明】
【図１】本件発明の一実施の形態である水栓を取付けた洗面化粧台を示す。
【図２】本件発明の一実施の形態である水栓を示す。
【図３】図２に示す水栓の吐水口先端を引出した状態図を示す。
【図４】図２に示す水栓の左側面断面図および正面図を示す。
【図５】図２に示す水栓を洗面カウンターに設置する要領を示す。
【図６】水栓の内部の配管取廻し図を示す。
【図７】カウンター穴の配管の配置を表す断面図を示す。
【図８】図２に示す水栓の要部各部位の分解斜視図を示す。
【図９】従来の水栓の取付断面図を示す。
【図１０】従来におけるカウンター穴の配管の配置を表す断面図を示す。
【符号の説明】
１  水栓
２  洗面化粧台
３  水栓の外観本体
４  吐水口先端
５  ホース
６  湯側の給水管
７  水側の給水管
８  混合水導水管
９  固定用ナット
１０  固定部材
１１  レバーハンドル
１２  カートリッジ
１２ａ  カートリッジ下端部
１３  凹形状
１４  水栓固定用の軸
１５  カウンター
１６  水栓取付穴
１７  固定プレート
１８  つば
１９  リブ
２０  カートリッジ押え
２１  引き棒
２２  止水栓
【図１】
0004719938.tif 000002
【図２】
0004719938.tif 000003
【図３】
0004719938.tif 000004
【図４】
0004719938.tif 000005
【図５】
0004719938.tif 000006
【図６】
0004719938.tif 000007
【図７】
0004719938.tif 000008
【図８】
0004719938.tif 000009
【図９】
0004719938.tif 000010
【図１０】
0004719938.tif 000011